(57)【要約】【課題】離れた場所にいても容器内の内容物の量と容器の位置がわかる手段を提供する【解決手段】容器に設置するデバイスであって、（１−１）容器の内容物の量が把握できるセンサーと、（１−２）前記内容物の量に関する情報および容器の位置情報を、通信モジュールを用いて伝達するユニットを含んでなるデバイス【選択図】図１
2018017708.tif 000002
【特許請求の範囲】
【請求項１】
容器に設置するデバイスであって、
（１−１）容器の内容物の量が把握できるセンサと、
（１−２）前記内容物の量に関する情報および容器の位置情報を、通信モジュールを用いて伝達するユニットを含んでなるデバイス
【請求項２】
（１−１）容器の内容物の量が把握できるセンサが加速度センサ、ジャイロセンサ、角速度センサ、照度センサ、重量センサのいずれかから成る請求項１記載のデバイス
【請求項３】
（１−１）容器の内容量が把握できるセンサが、加速度センサから成る請求項１もしくは２記載のデバイス
【請求項４】
（１−２）容器の内容量に関する情報および容器の位置情報を無線で伝達するユニットの無線規格が、Ｗｉ−Ｆｉ、Ｗｅａｖｅ、Ｂｌｕｅｔｏｏｓｈ、Ｅｎｏｃｅａｎ、Ｗｉ−ＳＵＮ、ＲＦＩＤもしくはＺｉｇｂｅｅからなる請求項１から３のいずれかに記載のデバイス
【請求項５】
（１−２）容器の内容量に関する情報および容器の位置情報を無線で伝達するユニットの無線規格がＺｉｇｂｅｅからなる請求項１から４のいずれかに記載のデバイス
【請求項６】
請求項１から５いずれかに記載のデバイスを具備する容器
【請求項７】
請求項６に記載の容器と
（２）前記容器の内容物の量および前記容器の位置に関する情報を蓄積するサーバーと
（３）前記容器の内容物の量および前記容器の位置情報を表示装置上に表示するプログラムからなる容器の内容物の量と位置を表示するシステム
【発明の詳細な説明】
【技術分野】
【０００１】  本発明は、容器に設置するデバイスおよび該デバイスを具備する容器と該容器に関する情報を表示するシステムに関するものである。
【背景技術】
【０００２】  現在、容器の内容物の量を検知するために各々の用途にあった原理を活用して検知している。例えば油圧装置の作動油タンクのレベル監視や原油貯蔵タンクの残量を測定するためには液面を直接検知可能なレベルセンサが用いられている。あるいは半導体プロセス用に用いられる液体材料では不活性ガスを充填容器内に供給することによって圧送するため、充填容器に設置されている超音波センサを用いて検知している。【０００３】  前記の技術は固定された大型の装置に対して有用であるが、可動性の小型の容器に対して内容物の量とリアルタイムの位置の情報を得ることは困難である。【０００４】  一方、飲食店においてはビールタンクの残量を重量センサを用いて把握しようと取り組んだ例がある。【０００５】  しかしながら、前記重量センサは大型のビールタンクに対して固定の場所に設置されるものであり、店の中で可動性のあるジョッキに対して設定することは不可能であった。
【先行技術文献】
【特許文献】
【０００６】
【特許文献１】特開２０１３−２３４８７４
【特許文献２】特開２００９−２２９４１３
【特許文献３】特開平０８−１５２３５０
【非特許文献】
【０００７】
【非特許文献１】キーエンス社ガイドパルス式レベルセンサＦＬシリーズカタログ
【発明の概要】
【発明が解決しようとする課題】
【０００８】  本発明は以上のような従来の欠点に鑑み、離れた場所にある可動性の容器内の内容物の量と位置に関する情報が把握できる手段を提供することを課題とする。
【課題を解決するための手段】
【０００９】  上記目的を達成するために、本発明は容器に設置するデバイスであって、
（１−１）容器の内容物の量が把握できるセンサと、
（１−２）前記内容物の量に関する情報および容器の位置情報を、通信モジュールを用いて伝達するユニットを含んでなるデバイスと、該デバイスを具備する容器と
（２）前記容器の内容物の量および前記容器の位置に関する情報を蓄積するサーバーと
（３）前記容器の内容物の量および前記容器の位置情報を表示装置上に表示するプログラムからなる容器の内容物の量と位置を表示するシステムを提供する。
【発明の効果】
【００１０】  本発明のシステムにより、離れた場所でも容器の内容物の量と位置がわかることで、以下のような利点がある。
（４−１）飲食店において、店員は離れていても飲料の入っていたグラスやジョッキあるいは料理が入っていた皿が空になったが判り、適切なタイミングで追加の注文を聞きに行くことができる。
（４−２）飲食店において、繰り返し注文されるビール等のアルコール飲料の場合は、容器の内容物の量の時間変化を観測することで、該飲料に対する関心の度合いを推定することができ、時間変化が遅くなった時は、店員は適切なタイミングで異なる飲料を提案することが可能になる。
（４−３）同じ分類の飲料において、内容物の量の減るペースに関する情報を蓄積し、メーカー毎に比較することで、製品に対する顧客の嗜好を可視化し、新しい製品の開発に活かすことができる。
【図面の簡単な説明】
【００１１】
【図１】本発明を実施するための容器に設置するデバイスとその容器の図である。
【図２】容器に設置するデバイスとその容器の内容物を飲む前の状態図である。
【図３】容器に設置するデバイスとその容器の内容物を飲む途中の状態図である。
【図４】容器に設置するデバイスとその容器の内容物を飲み終わった状態図である。
【図５】部屋の異なる位置でジョッキを９０°以上傾けた場合、ＰＣのディスプレイ上に位置が通知されるプロセス図である。
【発明を実施するための形態】
【００１２】  以下、本発明の実施の形態を説明する。まず、容器に設置するデバイスであって、
（１−１）容器の内容物の量が把握できるセンサと、
（１−２）前記内容物の量に関する情報および容器の位置情報を、通信モジュールを用いて伝達するユニットを含んでなるデバイスについて説明する。
【００１３】  前記記載のデバイスを具備する容器の材質としては、特に限定はされないがガラス製、樹脂製や陶器、金属製などが挙げられる。
【００１４】  前記記載のデバイスを具備する容器の容器の形状としても、特に限定はされないがジョッキ、グラス、マグカップ、升などが挙げられる。
【００１５】  前記容器の内容物の量が把握できるセンサとしては加速度センサ、ジャイロセンサ、角速度センサ、照度センサ、重量センサのいずれかが好ましく、加速度センサ、ジャイロセンサ、角速度センサ、重量センサがさらに好ましく、加速度センサが最も好ましい。
【００１６】  前記記載の容器の内容物としては特に限定はされないが液体あるいは固体が挙げられ、液体が好ましい。
【００１７】  前記記載の容器の内容物が液体かつ前記センサとして加速度センサを用いた場合、容器を９０°以上傾けると容器内の液体がなくなったという情報を把握することができる。
【００１８】  前記記載の容器の内容物が液体かつ前記センサとして加速度センサを用いた場合、容器を傾ける角度によって、容器内の液体の量を予測することができる。
【００１９】  ただし、内容物である液体の粘性が高かったり容器内に氷が存在している場合、容器内の液体がなくなったという情報を得るための最適な角度は変更することもあり得る。
【００２０】  前記内容物の量に関する情報および容器の位置情報を伝達する通信モジュールの無線規格はＷｉ−Ｆｉ、Ｗｅａｖｅ、Ｂｌｕｅｔｏｏｓｈ、Ｅｎｏｃｅａｎ、Ｗｉ−ＳＵＮ、ＲＦＩＤもしくはＺｉｇｂｅｅのいずれかが好ましくＥｎｏｃｅａｎ、Ｗｉ−ＳＵＮ、ＲＦＩＤもしくはＺｉｇｂｅｅがさらに好ましく、Ｚｉｇｂｅｅが最も好ましい。
【００２１】  容器の位置情報を伝達する場合は、ＧＰＳ等の位置情報を用いて受信機へ直接伝達してもよいし、受信機を中継器として設定し送信される電波の強度を比較して最も強度の高い中継器から位置情報を伝達してもよい。
【００２２】  前記容器の内容物の量および前記容器の位置情報を表示装置上に表示するプログラムとしては特に限定はされないが、表示装置上には容器の角度が９０°を超えた際に容器の位置情報が通知されるプログラムでもよいし、容器の角度と位置が通知されるプログラムでもよいし、容器の角度から推定される内容量と位置が通知されるプログラムでもよい。
【００２３】  前記記載のデバイスは樹脂製のケースに収納されていてもよく、前記記載のデバイスあるいはデバイスを収納しているケースと前記容器とはアクリル系やエポキシ系等の接着剤で接着してもよいし、両部分をシリコン製やゴム製のバンドで拘束して固定してもよい。
【００２４】  以下、本発明を実施例によりさらに詳しく説明する。
【実施例１】
【００２５】  ビールグラスの下部に加速度センサ内蔵無線タグ（モノワイヤレス社製ＴＷＥ−ＬＩＴＥ−２５２５Ａ）を収納したセンサケースをシリコンバンドで拘束し、角度が９０°を超えると通知を出す設定を行い、９０°以上傾くと通知が出ることを確認し、離れた位置において容器の内容物の量を把握することができた。
【実施例２】
【００２６】  ＵＳＢ型受信モジュール（モノワイヤレス社製ＭＯＮＯＳＴＩＣＫ）を２個中継器として設定し、部屋の両端に設置した。図５中にある前記中継器を５ａないし５ｂとする。ケースＡにおいて５ａに近い位置でビールグラスを９０°以上傾けるとＰＣディスプレイ上に５ａが点灯し、ケースＢにおいて５ｂに近い位置でビールグラスを９０°以上傾けるとＰＣディスプレイ上の５ｂが点灯し、容器の内容量と位置に関する情報を離れた場所で把握することが可能となった。
【産業上の利用可能性】
【００２７】  本発明は、液体である内容物の追加オーダーが求められる飲食店において利用される。
【符号の説明】
【００２８】  １  ジョッキもしくはグラスもしくは皿
２  センサ部位
３  センサカバー
５ａ、５ｂ  ＵＳＢ型モジュール
【図１】
2018017708.tif 000003
【図２】
2018017708.tif 000004
【図３】
2018017708.tif 000005
【図４】
2018017708.tif 000006
【図５】
2018017708.tif 000007